(57)【要約】【課題】比例分配制御方式の台数制御において低負荷時の圧力安定性を向上させること。【解決手段】複数の段階値制御ボイラ２０と制御装置３とを備えるボイラシステム１であって、制御装置３は、所定時間内におけるボイラ群２の平均出力蒸気量を算出し、圧力制御帯域を予め設定された分割圧力値により、高圧力帯域と低圧力帯域とからなる２つの圧力帯域に分割し、ボイラシステム１が低負荷のときに、平均出力蒸気量＋αを高圧力帯域に割り当て、比例分配制御方式に基づいて、高圧力帯域における燃焼制御を行う。【選択図】図４
2017032223.tif 000002
【特許請求の範囲】
【請求項１】
複数のボイラからなるボイラ群と、
前記ボイラ群において生成された蒸気を集合させる蒸気ヘッダと、
前記蒸気ヘッダの内部の蒸気圧値であるヘッダ圧力値を測定する蒸気圧測定手段と、
前記蒸気圧測定手段により測定される蒸気圧力値が、予め設定された最大設定圧力値を上限値とし、予め設定された制御幅により規定される圧力制御帯域の範囲内に収まるように前記ボイラ群の燃焼状態を制御する制御部と、
を備えるボイラシステムであって、
前記制御部は、
予め設定された最大使用蒸気量を記憶する最大使用蒸気量記憶部と、
各ボイラの制御周期毎の出力蒸気量の合計値から、所定時間内における前記ボイラ群の平均出力蒸気量を算出する平均出力蒸気量算出部と、
前記平均出力蒸気量算出部により算出された平均出力蒸気量に予め設定された付加蒸気量を加算した第１平均出力蒸気量を算出する第１平均出力蒸気量算出部と、
前記圧力制御帯域を、予め設定された分割圧力値により、前記上限値から前記分割圧力値までの高圧力帯域と、前記上限値から前記制御幅を減算した値である下限値から前記分割圧力値までの低圧力帯域と、からなる２つの圧力帯域に分割する圧力制御帯域分割部と、
前記ヘッダ圧力値が前記高圧力帯域の範囲に含まれる場合、前記ヘッダ圧力値に対応して前記ボイラ群の必要出力蒸気量をゼロから前記第１平均出力蒸気量までの値となるように比例分配制御方式により算出し、
前記ヘッダ圧力値が前記低圧力帯域の範囲に含まれる場合、前記ヘッダ圧力値に対応して前記ボイラ群の必要出力蒸気量を前記第１平均出力蒸気量から前記最大使用蒸気量までの値となるように比例分配制御方式により算出する、第１必要蒸気量算出部と、
式１により算出される前記高圧力帯域における、必要出力蒸気量の圧力値に対する勾配の絶対値が、式２により算出される前記低圧力帯域における必要出力蒸気量の圧力値に対する勾配の絶対値よりも小さい場合、前記第１必要蒸気量算出部により算出された必要出力蒸気量を出力するように前記ボイラ群の燃焼状態を制御する燃焼制御部と、
を備える、ボイラシステム。
（第１平均出力蒸気量）／（上限値−分割圧力値）              （式１）
（最大使用蒸気量−第１平均出力蒸気量）／（分割圧力値−下限値）
（式２）
【請求項２】
前記圧力制御帯域分割部は、前記分割圧力値を前記上限値と前記下限値との中間値として、前記圧力制御帯域を均等に分割する、請求項１に記載のボイラシステム。
【請求項３】
前記制御部は、
圧力制御帯域の範囲内に含まれる前記ヘッダ圧力値に対応して、前記ボイラ群の必要出力蒸気量を、ゼロから前記最大使用蒸気量までの値となるように比例分配制御方式により算出する必要蒸気量算出部をさらに備え、
前記燃焼制御部は、式１により算出される前記高圧力帯域における、必要出力蒸気量の圧力値に対する勾配の絶対値が、式２により算出される前記低圧力帯域における必要出力蒸気量の圧力値に対する勾配の絶対値以上となる場合、前記必要蒸気量算出部により算出された必要出力蒸気量を出力するように前記ボイラ群の燃焼状態を制御する、請求項１又は請求項２に記載のボイラシステム。
【請求項４】
前記ボイラは、複数の段階的な燃焼位置で燃焼可能な段階値制御ボイラである、請求項１乃至請求項３のいずれか１項に記載のボイラシステム。
【発明の詳細な説明】
【技術分野】
【０００１】
本発明は、複数のボイラからなるボイラ群を備えるボイラシステムに関する。
【背景技術】
【０００２】
従来、複数の段階的な燃焼位置で燃焼可能な段階値制御ボイラを複数有するボイラ群と、要求される負荷に応じてボイラ群の燃焼状態を制御する制御部と、を備えるボイラシステムが提案されている。ここで、段階値制御ボイラとは、燃焼を選択的にオン／オフしたり、炎の大きさを調整したりすること等により複数段階の燃焼位置で燃焼するＮ位置制御ボイラをいい、このような段階値制御ボイラでは、燃焼率が段階的に変更される。なお、Ｎ位置制御とは、段階値制御ボイラの燃焼量を、燃焼停止位置を含めてＮ位置に段階的に制御可能なことを表す。
【０００３】
そして、特許文献１に記載されているように、段階値制御ボイラを複数有するボイラ群を備えるボイラシステムの燃焼制御においては、蒸気ヘッダの内部の蒸気圧値であるヘッダ圧力値が、予め設定された最大設定圧力値を上限値とし、予め設定された制御幅により規定される圧力制御帯域の範囲内に収まるようにボイラ群の燃焼状態を制御することが知られている。すなわち、最大設定圧力値から制御幅を減算して算出される圧力値を下限値とした場合、ヘッダ圧力値が、上限値と下限値により規定される圧力制御帯域の範囲内に収まるようにボイラ群の燃焼状態が制御される。
【０００４】
より具体的には、制御部は、ヘッダ圧力値が上限値に等しい場合に必要蒸気量がゼロになるように、またヘッダ圧力値が下限値に等しい場合に必要蒸気量が最大使用蒸気量になるように、ヘッダ圧力値と上限値との差分である圧力偏差に基づいて必要蒸気量を算出する比例分配制御方式に基づいて、制御周期毎に必要蒸気量ＭＶｎを算出し、必要蒸気量ＭＶｎを出力するようにボイラ群を制御する。
なお、比例分配制御方式の台数制御は、複数の段階値制御ボイラからなるボイラ群に限定されるものではなく、燃焼率を連続的に変更して燃焼可能な複数の連続制御ボイラからなるボイラ群にも適用することができる。
【０００５】
このように、比例分配制御方式の台数制御では、予め設定により定められた圧力制御帯域とヘッダ圧力との位置関係により、蒸気出力量が決定される。
【先行技術文献】
【特許文献】
【０００６】
【特許文献１】特開２０１１−２０８８１７号公報
【発明の概要】
【発明が解決しようとする課題】
【０００７】
しかしながら、比例分配制御方式の台数制御においては、圧力制御帯域の幅（制御幅）が狭い場合には、ゲインが大きくなるため、蒸気負荷が高い場合には比較的安定しやすいが、蒸気負荷が低い場合には、圧力変化に対して過剰に蒸気出力量を操作するため、ハンチングが発生しやすいという問題がある。
このため、低負荷時のハンチングを抑止するためには、圧力制御帯域の幅（制御幅）を広げることでゲインを小さくする必要がある。しかしながら、圧力制御帯域の幅（制御幅）を広げると、蒸気負荷が高い場合に安定する圧力が下がってしまう問題が発生する。
ここで、ゲインとは、圧力変化量に対する蒸気出力量の変化の割合を表す。すなわち、ゲインが大きい場合とは、所定の圧力変化量に対して大きな蒸気出力量の変化が生じる場合をいい、ゲインが小さい場合とは、所定の圧力変化量に対して小さな蒸気出力量の変化が生じる場合をいう。
このため、圧力制御帯域の幅（制御幅）を広げすぎることなく、高負荷時に安定する圧力を所定範囲内に維持するとともに、かつ低負荷時の圧力安定性を向上させることができるボイラシステムが望まれる。
【０００８】
本発明は、複数のボイラからなるボイラ群を備えるボイラシステムにおいて、圧力制御帯域の幅（制御幅）を広げすぎることなく、高負荷時に安定する圧力を所定範囲内に維持するとともに、かつ低負荷時の圧力安定性を向上させるボイラシステムであって、低負荷時から高負荷時のいずれの場合においても圧力安定性を維持することができるボイラシステムを提供することを目的とする。
【課題を解決するための手段】
【０００９】
本発明は、複数のボイラからなるボイラ群と、前記ボイラ群において生成された蒸気を集合させる蒸気ヘッダと、前記蒸気ヘッダの内部の蒸気圧値であるヘッダ圧力値を測定する蒸気圧測定手段と、前記蒸気圧測定手段により測定される蒸気圧力値が、予め設定された最大設定圧力値を上限値とし、予め設定された制御幅により規定される圧力制御帯域の範囲内に収まるように前記ボイラ群の燃焼状態を制御する制御部と、を備えるボイラシステムであって、前記制御部は、予め設定された最大使用蒸気量を記憶する最大使用蒸気量記憶部と、各ボイラの制御周期毎の出力蒸気量の合計値から、所定時間内における前記ボイラ群の平均出力蒸気量を算出する平均出力蒸気量算出部と、前記平均出力蒸気量算出部により算出された平均出力蒸気量に予め設定された付加蒸気量を加算した第１平均出力蒸気量を算出する第１平均出力蒸気量算出部と、前記圧力制御帯域を、予め設定された分割圧力値により、前記上限値から前記分割圧力値までの高圧力帯域と、前記上限値から前記制御幅を減算した値である下限値から前記分割圧力値までの低圧力帯域と、からなる２つの圧力帯域に分割する圧力制御帯域分割部と、前記ヘッダ圧力値が前記高圧力帯域の範囲に含まれる場合、前記ヘッダ圧力値に対応して前記ボイラ群の必要出力蒸気量をゼロから前記第１平均出力蒸気量までの値となるように比例分配制御方式により算出し、前記ヘッダ圧力値が前記低圧力帯域の範囲に含まれる場合、前記ヘッダ圧力値に対応して前記ボイラ群の必要出力蒸気量を前記第１平均出力蒸気量から前記最大使用蒸気量までの値となるように比例分配制御方式により算出する、第１必要蒸気量算出部と、式１により算出される前記高圧力帯域における、必要出力蒸気量の圧力値に対する勾配の絶対値が、式２により算出される前記低圧力帯域における必要出力蒸気量の圧力値に対する勾配の絶対値よりも小さい場合、前記第１必要蒸気量算出部により算出された必要出力蒸気量を出力するように前記ボイラ群の燃焼状態を制御する燃焼制御部と、を備える、ボイラシステムに関する。
（第１平均出力蒸気量）／（上限値−分割圧力値）                  （式１）
（最大使用蒸気量−第１平均出力蒸気量）／（分割圧力値−下限値）  （式２）
【００１０】
また、前記圧力制御帯域分割部は、前記分割圧力値を前記上限値と前記下限値との中間値として、前記圧力制御帯域を均等に分割することが好ましい。
【００１１】
また、前記制御部は、圧力制御帯域の範囲内に含まれる前記ヘッダ圧力値に対応して、前記ボイラ群の必要出力蒸気量を、ゼロから前記最大使用蒸気量までの値となるように比例分配制御方式により算出する、必要蒸気量算出部をさらに備え、前記燃焼制御部は、式１により算出される前記高圧力帯域における、必要出力蒸気量の圧力値に対する勾配の絶対値が、式２により算出される前記低圧力帯域における必要出力蒸気量の圧力値に対する勾配の絶対値以上となる場合、前記必要蒸気量算出部により算出された必要出力蒸気量を出力するように前記ボイラ群の燃焼状態を制御することが好ましい。
【００１２】
また、前記ボイラは、複数の段階的な燃焼位置で燃焼可能な段階値制御ボイラであることが好ましい。
【発明の効果】
【００１３】
本発明によれば、複数のボイラからなるボイラ群を比例分配制御方式により台数制御するボイラシステムおいて、圧力制御帯域の幅（制御幅）を広げすぎることなく、高負荷時における圧力変化に対しては、従来の比例分配制御方式に比べてゲインを同じか又は大きくすることができ、高負荷時に安定する圧力を所定範囲内に維持することができるとともに、従来の比例分配制御方式に比べて、低負荷時における圧力変化に対しては、従来の比例分配制御方式に比べてゲインを小さくすることができ、低負荷時の圧力安定性を向上することができる。
【図面の簡単な説明】
【００１４】
【図１】本発明の一実施形態に係るボイラシステムの概略を示す図である。
【図２】上記実施形態の段階値制御ボイラの燃焼位置の概略を示す図である。
【図３】上記実施形態のボイラ２０における仮想ボイラの一例を示す図である。
【図４】上記実施形態の制御部の構成を示す機能ブロック図である。
【図５】上記実施形態の記憶部の構成を示す機能ブロック図である。
【図６】上記実施形態のボイラシステムにおいて、低負荷時における圧力変化に対するゲインを、従来の比例分配制御方式に比べて小さくする動作の一例を示した図である。
【図７】上記実施形態のボイラシステムにおいて、低負荷時における圧力変化に対するゲインを、従来の比例分配制御方式に比べて小さくする動作の一例を示した図である。
【図８】上記実施形態のボイラシステムにおいて、高負荷時における圧力変化に対する比例分配制御方式の一例を示した図である。
【図９】複数のボイラからなるボイラ群を備えるボイラシステムにおいて、従来の比例分配制御方式を適用する場合の、圧力変化に対する必要蒸気量算出の一例を示した図である。
【発明を実施するための形態】
【００１５】
以下、本発明のボイラシステムの好ましい一実施形態について、図面を参照しながら説明する。
まず、本実施形態に係るボイラシステム１の全体構成につき、図１を参照しながら説明する。
ボイラシステム１は、図１に示すように、複数（５台）の段階値制御ボイラ２０を含むボイラ群２と、これら複数の段階値制御ボイラ２０において生成された蒸気を集合させる蒸気ヘッダ６と、蒸気ヘッダ６の内部の圧力値（以下「ヘッダ圧力値」ともいう）を測定する蒸気圧センサ７と、ボイラ群２の燃焼状態を制御する制御部４を有する台数制御装置３と、を備える。
ボイラ群２は、負荷機器としての蒸気使用設備１８に供給する蒸気を発生する。
【００１６】
複数の段階値制御ボイラ２０のそれぞれは、燃焼が行われるボイラ本体２１と、段階値制御ボイラ２０の燃焼位置を制御するローカル制御部２２と、を備える。
ボイラ本体２１は、水管やバーナを備え、図示せぬ水源（給水タンク）から供給された缶水を水管内で加熱し、蒸気を生成する。
【００１７】
ローカル制御部２２は、蒸気消費量に応じて段階値制御ボイラ２０の燃焼位置を変更させる。具体的には、ローカル制御部２２は、信号線１６を介して台数制御装置３から送信される台数制御信号に基づいて、段階値制御ボイラ２０の燃焼位置を制御する。また、ローカル制御部２２は、台数制御装置３で用いられる信号を、信号線１６を介して台数制御装置３に送信する。台数制御装置３で用いられる信号としては、段階値制御ボイラ２０の実際の燃焼位置、及びその他のデータ等が挙げられる。
【００１８】
蒸気ヘッダ６は、蒸気管１１を介してボイラ群２を構成する複数の段階値制御ボイラ２０に接続されている。蒸気ヘッダ６の下流側は、蒸気管１２を介して蒸気使用設備１８に接続されている。
【００１９】
蒸気ヘッダ６は、ボイラ群２で生成された蒸気を集合させて貯留する。蒸気ヘッダ６は、燃焼させる１又は複数の段階値制御ボイラ２０の相互の圧力差及び圧力変動を調整し、蒸気圧力値が一定に調整された蒸気を蒸気使用設備１８に供給する。
【００２０】
蒸気圧センサ７は、信号線１３を介して、台数制御装置３に電気的に接続されている。蒸気圧センサ７は、蒸気ヘッダ６の蒸気圧力値（以下、「ヘッダ圧力値」ともいう）を測定し、その蒸気圧力値に対応する蒸気圧信号を、信号線１３を介して台数制御装置３に送信する。
【００２１】
台数制御装置３は、信号線１６を介して、複数の段階値制御ボイラ２０と電気的に接続されている。台数制御装置３は、蒸気圧センサ７により測定されるヘッダ圧力値に基づいて要求負荷に応じたボイラ群２の必要蒸気量を算出し、該算出された必要蒸気量に基づいて、ボイラ群２の内、制御対象となる段階値制御ボイラ２０（以下「制御対象ボイラ」ともいう）の燃焼位置（燃焼量）を制御する。
【００２２】
次に、ボイラシステム１を構成する複数の段階値制御ボイラ２０について説明する。図２は、ボイラシステム１を構成するボイラ群２の概略を示す図である。
図２に示すように、本実施形態の段階値制御ボイラ２０は、
１）燃焼停止位置（第１燃焼位置：０％）、
２）低燃焼位置Ｌ（第２燃焼位置：例えば最大燃焼量の５〜３５％で設定される、本実施形態では２５％）、
３）中燃焼位置Ｍ（第３燃焼位置：例えば最大燃焼量の４０〜６０％で設定される、本実施形態では５０％）、
４）高燃焼位置Ｈ（第４燃焼位置：１００％（最大燃焼量））の段階的な燃焼位置を有する段階値制御ボイラ（以下、「４位置制御ボイラ」ともいう）である。
なお、段階値制御ボイラ２０の出力可能な最大蒸気量を最大出力蒸気量という。
図２に示すように、各段階値制御ボイラ２０の高燃焼位置Ｈにおける燃焼量（最大出力蒸気量）は２０００ｋｇ／ｈ、中燃焼位置Ｍにおける燃焼量は１０００ｋｇ／ｈ、低燃焼位置Ｌにおける燃焼量は５００ｋｇ／ｈとされている。
【００２３】
複数の段階値制御ボイラ２０には、それぞれ優先順位が設定することができる。優先順位は、燃焼指示や燃焼停止指示を行う段階値制御ボイラ２０を選択するために用いられる。優先順位は、例えば整数値を用いて、数値が小さいほど優先順位が高くなるよう設定することができる。図２に示すように、段階値制御ボイラ２０の１号機〜５号機のそれぞれに「１」〜「５」の優先順位が割り当てられている場合、１号機の優先順位が最も高く、５号機の優先順位が最も低い。なお、この優先順位は、後述の制御部４の制御により、所定の時間間隔（例えば、２４時間間隔）で変更してもよい。
【００２４】
段階値制御ボイラ２０の燃焼又はその停止は、仮想ボイラ単位で扱うことができる。仮想ボイラとは、ボイラにおける燃焼位置（燃焼量）の違い（低燃焼位置、中燃焼位置、高燃焼位置）をそれぞれ独立したボイラとみなし、それぞれの燃焼位置における蒸気量とその１段階下位の燃焼位置における蒸気量との差分蒸気量をボイラに仮想したものである。
例えば、図３に示すように、４位置制御ボイラは、低燃焼量ボイラ、（中燃焼量−低燃焼量）ボイラ、（高燃焼量−中燃焼量）ボイラの３台の仮想ボイラからなるとすることができる。例えば、４位置制御ボイラを低燃焼位置で燃焼させる場合、低燃焼量ボイラに対して燃焼指示を行い、他方、（中燃焼量−低燃焼量）ボイラ、及び（高燃焼量−中燃焼量）ボイラに対しては燃焼停止指示を行っていると制御上扱うことができる。
【００２５】
そうすると、ボイラ群２の制御対象となる複数の段階値制御ボイラ２０の燃焼位置の燃焼順序である燃焼優先順位は、制御対象となる段階値制御ボイラ２０を、低燃焼量ボイラ、（中燃焼量−低燃焼量）ボイラ、（高燃焼量−中燃焼量）ボイラの３台の仮想ボイラからなるとした場合に、制御対象となる複数の段階値制御ボイラ２０を構成する複数の仮想ボイラの燃焼指示や燃焼停止指示を行う際の優先順位（以下、「仮想ボイラ優先順位」という）と同等のものであるということができる。
【００２６】
次に、台数制御装置３の構成について詳細に説明する。台数制御装置３は、図１に示すように、制御手段としての制御部４と、記憶部５と、を備える。
【００２７】
制御部４は、要求負荷が増加した場合には、段階値制御ボイラ２０の燃焼停止状態にある燃焼位置の内、最も燃焼優先順位の高い燃焼位置を選択して、当該選択した燃焼位置での燃焼指示（当該選択した仮想ボイラに対する燃焼指示）を行う。逆に、制御部４は、要求負荷が減少した場合には、段階値制御ボイラ２０の燃焼状態にある燃焼位置の内、最も燃焼優先順位の低い燃焼位置を選択して、当該選択した燃焼位置での燃焼停止指示（当該選択した仮想ボイラに対する燃焼停止指示）を行う。
制御部４の詳細については、後述する。
【００２８】
記憶部５の構成を図５に示す。図５に示すように、記憶部５は、最大使用蒸気量記憶部５１を含む。
最大使用蒸気量記憶部５１は、予め設定された、蒸気使用設備１８（要求負荷）において消費される蒸気量の最大使用蒸気量を記憶する。
ここで、最大使用蒸気量とは、蒸気使用設備１８が使用する最大の蒸気量を意味する。したがって、ボイラシステム１の出力する最大出力蒸気量であるということができる。
また、最大使用蒸気量とは、制御対象となるボイラ２０において、制御対象として設定されたすべての仮想ボイラの燃焼状態における出力蒸気量の合計であるということができる。
本実施形態における、蒸気使用設備１８において消費される蒸気量の最大使用蒸気量は、１００００ｋｇ／ｈに設定されているとする。
【００２９】
また、記憶部５は、後述する予め設定された付加蒸気量を記憶する付加蒸気量記憶部５２、後述する予め設定された分割圧力値を記憶する分割圧力値記憶部５３、優先順位を記憶する優先順位記憶部５４、を備えるように構成できる。
【００３０】
このほか、記憶部５は、台数制御装置３（制御部４）の制御により各段階値制御ボイラ２０に対して行われた指示の内容や、各段階値制御ボイラ２０から受信した燃焼位置等の情報の設定情報、優先順位の変更（ローテーション）に関する設定の情報を記憶する。
【００３１】
次に、制御部４の構成について詳細に説明する。
第１実施形態では、制御部４は、予め設定された分割圧力値により、圧力制御帯域を、高圧力帯域と低圧力帯域とからなる２つの圧力帯域に分割する。すなわち、圧力制御帯域の上限値と分割圧力値により規定される圧力帯域を高圧力帯域といい、分割圧力値と圧力制御帯域の下限値により規定される圧力帯域を低圧力帯域とする。
そして、ボイラ群２の平均出力蒸気量＋αを高圧力帯域の圧力値幅で除算した値が、最大使用蒸気量から平均出力蒸気量＋αを減算した値を低圧力帯域の圧力値幅で除算した値よりも小さい場合に、従来の比例分配制御方式に比べて、低負荷時における圧力変化（すなわち、高圧力帯域における圧力変化）に対するゲインを小さくすることで、低負荷時の圧力安定性を向上できるように制御するように構成される。
また、高負荷時における圧力変化（すなわち、低圧力帯域における圧力変化）に対しては、従来の比例分配制御方式に比べてゲインを大きくすることで、高負荷時に安定する圧力を所定範囲内に維持することができるように制御するように構成される。
【００３２】
このような制御を実現するため、図４に示すように、制御部４は、平均出力蒸気量算出部４１と、第１平均出力蒸気量算出部４２と、圧力制御帯域分割部４３と、第１必要蒸気量算出部４４と、燃焼制御部４５と、必要蒸気量算出部４６と、を含んで構成される。
【００３３】
＜平均出力蒸気量算出部４１＞
平均出力蒸気量算出部４１は、制御周期毎に各ボイラ２０の出力蒸気量の合計値、すなわちボイラ群２の出力蒸気量を算出する。そのうえで、平均出力蒸気量算出部４１は、制御周期毎のボイラ群２の出力蒸気量の所定時間内（例えば６０秒）における移動平均を算出して、ボイラ群２の平均出力蒸気量とする。
【００３４】
＜第１平均出力蒸気量算出部４２＞
第１平均出力蒸気量算出部４２は、平均出力蒸気量算出部４１により算出されたボイラ群２の平均出力蒸気量に予め設定された付加蒸気量（＋α）を加算した第１平均出力蒸気量を算出する。
【００３５】
＜圧力制御帯域分割部４３＞
圧力制御帯域分割部４３は、圧力制御帯域を、分割圧力値記憶部５３に予め設定された分割圧力値により、圧力制御帯域の上限値から分割圧力値までの高圧力帯域と分割圧力値から圧力制御帯域の下限値までの低圧力帯域とからなる２つの圧力帯域に分割する。
なお、圧力制御帯域分割部４３は、圧力制御帯域の上限値から制御幅を減算することで圧力制御帯域の下限値を算出する。
【００３６】
＜第１必要蒸気量算出部４４＞
第１必要蒸気量算出部４４は、ヘッダ圧力値が高圧力帯域の範囲に含まれる場合、ヘッダ圧力値に対応してボイラ群２の必要出力蒸気量がゼロから第１平均出力蒸気量までの値となるように比例分配制御方式により算出し、ヘッダ圧力値が低圧力帯域の範囲に含まれる場合、ヘッダ圧力値に対応してボイラ群２の必要出力蒸気量が第１平均出力蒸気量から最大使用蒸気量までの値となるように、比例分配制御方式により算出する。
【００３７】
より具体的には、ヘッダ圧力値が高圧力帯域の範囲に含まれる場合、第１必要蒸気量算出部４４は、ヘッダ圧力値が上限値に等しい場合に必要蒸気量がゼロになるように、ヘッダ圧力値が分割圧力値に等しい場合に必要蒸気量が第１平均出力蒸気量になるように、ヘッダ圧力値と上限値との差分である圧力偏差に基づいて、比例分配制御方式により必要蒸気量を算出する。
【００３８】
また、ヘッダ圧力値が低圧力帯域の範囲に含まれる場合、第１必要蒸気量算出部４４は、ヘッダ圧力値が分割圧力値に等しい場合に必要蒸気量が第１平均出力蒸気量になるように、ヘッダ圧力値が下限値に等しい場合に必要蒸気量が最大使用蒸気量になるように、ヘッダ圧力値と上限値との差分である圧力偏差に基づいて、比例分配制御方式により必要蒸気量を算出する。
【００３９】
なお、比例分配制御方式により必要蒸気量を算出する際に、必ずしも、線形の比例計算に限定されない。例えば、ｘが増加するとき常にｙの値が減少する所定の関数（いわゆる減少関数）にしたがって、圧力偏差（ｘ）に対して必要蒸気量（ｙ）を算出するようにしてもよい。
【００４０】
こうすることで、後述するように、平均出力蒸気量が少ない場合（すなわち、ヘッダ圧力が平均的に高いとき）に、高圧力帯域に第１平均出力蒸気量を割り当てることで、ヘッダ圧力が高圧力帯域の範囲内にある場合のゲインを小さくすることができる。
この場合、低圧力帯域に最大使用蒸気量から第１平均出力蒸気量を減じた蒸気量を割り当てることになるが、仮に、蒸気負荷が高くなり、ヘッダ圧力が低圧力帯域の範囲内にある場合、ゲインを大きくすることができる。
【００４１】
＜燃焼制御部４５＞
燃焼制御部４５は、式１により算出される、高圧力帯域に割り当てる第１平均出力蒸気量の高圧力帯域における圧力差に対する勾配の絶対値が、式２により算出される低圧力帯域に割り当てる（最大使用蒸気量−第１平均出力蒸気量）の低圧力帯域における圧力差に対する勾配の絶対値よりも小さい場合（以下、簡単のため「第１状態」という）、第１必要蒸気量算出部により算出された必要出力蒸気量を出力するようにボイラ群２の燃焼状態を制御する。
（第１平均出力蒸気量）／（上限値−分割圧力値）                  （式１）
（最大使用蒸気量−第１平均出力蒸気量）／（分割圧力値−下限値）  （式２）
こうすることで、前述したように、ヘッダ圧力が高圧力帯域の範囲内にある場合のゲインを小さくすることができる。
【００４２】
燃焼制御部４５は、逆に、式１により算出される、高圧力帯域に割り当てる第１平均出力蒸気量の高圧力帯域における圧力差に対する勾配の絶対値が、式２により算出される低圧力帯域に割り当てる（最大使用蒸気量−第１平均出力蒸気量）の低圧力帯域における圧力差に対する勾配の絶対値以上の場合（以下、簡単のため「第２状態」という）、仮に第１必要蒸気量算出部により算出された必要出力蒸気量を出力するようにボイラ群２の燃焼状態を制御すると、ヘッダ圧力が高圧力帯域の範囲内にある場合のゲインが通常の場合よりも大きくなる。
このため、燃焼制御部４５は、ボイラ群２が第２状態にある場合には、後述する必要蒸気量算出部４６により算出される通常の必要出力蒸気量を出力するようにボイラ群２の燃焼状態を制御する。
【００４３】
＜必要蒸気量算出部４６＞
必要蒸気量算出部４６は、圧力制御帯域の範囲内に含まれるヘッダ圧力値に対応して、ボイラ群２の必要出力蒸気量を、ゼロから最大使用蒸気量までの値となるように比例分配制御方式により算出する。
より具体的には、ヘッダ圧力値が上限値に等しい場合に必要蒸気量がゼロになるように、ヘッダ圧力値が下限値に等しい場合に必要蒸気量が最大使用蒸気量になるように、ヘッダ圧力値と上限値との差分である圧力偏差に基づいて、比例分配制御方式により必要蒸気量を算出する。
【００４４】
すなわち、必要蒸気量算出部４６は、制御周期毎に、ヘッダ圧力値の圧力偏差（予め設定された最大設定圧力値とヘッダ圧力値との差分）を予め設定された制御幅で除算した比率に、最大使用蒸気量を乗算することにより、ボイラ群２の必要出力蒸気量を算出する。
次に本実施形態のボイラシステム１の動作について、図６〜図９を参照して、説明する。
【００４５】
＜ボイラシステム１の設定値＞
まず、ボイラシステム１の設定値について説明する。
図２に示すように、各段階値制御ボイラ２０の高燃焼位置Ｈにおける燃焼量（最大出力蒸気量）は２０００ｋｇ／ｈ、中燃焼位置Ｍにおける燃焼量は１０００ｋｇ／ｈ、低燃焼位置Ｌにおける燃焼量は５００ｋｇ／ｈとしている。
【００４６】
なお、段階値制御ボイラ２０の燃焼又はその停止は、仮想ボイラ単位で扱うことができる。
したがって、本実施形態の各ボイラは、燃焼量５００ｋｇ／ｈの低燃焼量ボイラ、燃焼量５００ｋｇ／ｈの（中燃焼量−低燃焼量）ボイラ、及び燃焼量１０００ｋｇ／ｈの（高燃焼量−中燃焼量）ボイラの３台の仮想ボイラからなるとすることができる。
例えば、４位置制御ボイラを低燃焼位置で燃焼させる場合、燃焼量５００ｋｇ／ｈの低燃焼量ボイラに対して燃焼指示を行い、他方、燃焼量５００ｋｇ／ｈの（中燃焼量−低燃焼量）ボイラ、及び燃焼量１０００ｋｇ／ｈの（高燃焼量−中燃焼量）ボイラに対しては燃焼停止指示を行っていると制御上扱うことができる。
【００４７】
次に、本実施形態のボイラシステム１は、最大使用蒸気量を１００００ｋｇ／ｈ、最大設定圧力値（「比例分配設定圧力値」ともいう）を０．８ＭＰａ、制御幅（「比例分配制御幅」ともいう）を０．２ＭＰａに設定している。
すなわち、圧力制御帯域の上限値は０．８ＭＰａ、下限値は０．６ＭＰａである。
また、動作例の説明をわかりやすくするために、分割圧力値を上限値と下限値との中間値である０．７ＭＰａに設定する。
そうすることで、高圧力帯域は、上限値０．８ＭＰａから分割圧力値０．７ＭＰａまでの圧力値の範囲となり、低圧力帯域は分割圧力値０．７ＭＰａから下限値０．６ＭＰａまでの圧力値の範囲となる。
なお、分割圧力値については、任意に設定することができ、高圧力帯域と低圧力帯域の幅が異なるものであってもよい。
【００４８】
また、予め設定された付加蒸気量をαで表す。そうすることで、第１平均出力蒸気量は、平均出力蒸気量＋αとして表される。
【００４９】
［第１平均出力蒸気量＜５０００ｋｇ／ｈである場合］
図６に示すように、ボイラシステム１の第１平均出力蒸気量（平均使用蒸気量＋α）は、最大使用蒸気量１００００ｋｇ／ｈの１／４程度（２５００ｋｇ／ｈ）となる低負荷状態である。
他方、（最大使用蒸気量−第１平均出力蒸気量）は、７５００ｋｇ／ｈ程度となる。
式１及び式２における分母が、同じ値となることから、式１により算出される高圧力帯域（０．７ＭＰａ〜０．８ＭＰａ）に割り当てられる出力蒸気量の圧力値に対する勾配の絶対値は、式２により算出される低圧力帯域（０．６ＭＰａ〜０．７ＭＰａ）に割り当てられる出力蒸気量の圧力値に対する勾配の絶対値よりも小さい。
すなわち、ボイラ群２は第１状態にある。
【００５０】
したがって、ボイラシステム１の燃焼制御部４５は、第１必要蒸気量算出部４４により算出された必要出力蒸気量を出力するようにボイラ群２の燃焼状態を制御する。
この場合、第１必要蒸気量算出部４４は、高圧力帯域に第１平均出力蒸気量（＝２５００ｋｇ／ｈ）を割り当て、低圧力帯域に（最大使用蒸気量−第１平均出力蒸気量）（＝７５００ｋｇ／ｈ）を割り当て、比例分配制御方式により、必要蒸気量を算出する。
【００５１】
したがって、図６における高圧力帯域においては、例えばヘッダ圧力値が０．０１ＭＰａ低下することにより、２５０ｋｇ／ｈの必要蒸気量の増加量が算出されるに過ぎない。
これに対して、例えば図９に示す従来の比例分配制御方式では、５０００ｋｇ／ｈが高圧力帯域に割り当てられ、図６における高圧力帯域においては、例えばヘッダ圧力値が０．０１ＭＰａ低下することにより、５００ｋｇ／ｈの必要蒸気量の増加量が算出される。
このように、従来の比例分配制御方式に比べて、低負荷時における圧力変化に対するゲインを小さくすることができ、低負荷時の圧力安定性を向上することができる。
【００５２】
次に、図６よりも少し蒸気負荷が高まり、図７に示すように、第１平均出力蒸気量（平均使用蒸気量＋α）は、３４００ｋｇ／ｈ程度となったとする。
他方、（最大使用蒸気量−第１平均出力蒸気量）は、６６００ｋｇ／ｈ程度となる。
したがって、式１及び式２における分母が、同じ値となることから、式１により算出される高圧力帯域（０．７ＭＰａ〜０．８ＭＰａ）に割り当てられる出力蒸気量の圧力値に対する勾配の絶対値は、式２により算出される低圧力帯域（０．６ＭＰａ〜０．７ＭＰａ）に割り当てられる出力蒸気量の圧力値に対する勾配の絶対値よりも小さい。
すなわち、依然としてボイラ群２は第１状態にある。
【００５３】
したがって、ボイラシステム１の燃焼制御部４５は、第１必要蒸気量算出部４４により算出された必要出力蒸気量を出力するようにボイラ群２の燃焼状態を制御する。
この場合、第１必要蒸気量算出部４４は、高圧力帯域に第１平均出力蒸気量（＝３４００ｋｇ／ｈ）を割り当て、低圧力帯域に（最大使用蒸気量−第１平均出力蒸気量）（＝６６００ｋｇ／ｈ）を割り当て、比例分配制御方式により、必要蒸気量を算出する。
【００５４】
したがって、図７における高圧力帯域においては、例えばヘッダ圧力値が０．０１ＭＰａ低下することにより、３４０ｋｇ／ｈの必要蒸気量の増加量が算出されるに過ぎない。
このように、従来の比例分配制御方式に比べて、低負荷時における圧力変化に対するゲインを小さくすることができ、低負荷時の圧力安定性を向上することができる。
【００５５】
次に、蒸気負荷が高まり、平均出力蒸気量が増加して、第１平均出力蒸気量が５０００ｋｇ／ｈ以上となった場合について、説明する。
【００５６】
＜第１平均出力蒸気量≧５０００ｋｇ／ｈである場合＞
例えば図８に示すように、第１平均出力蒸気量は６０００ｋｇ／ｈとなり、（最大使用蒸気量−第１平均出力蒸気量）は４０００ｋｇ／ｈとなったとする。
したがって、式１及び式２における分母が、同じ値となることから、式１により算出される高圧力帯域（０．７ＭＰａ〜０．８ＭＰａ）に割り当てられる出力蒸気量の圧力値に対する勾配の絶対値は、式２により算出される低圧力帯域（０．６ＭＰａ〜０．７ＭＰａ）に割り当てられる出力蒸気量の圧力値に対する勾配の絶対値よりも大きい。
すなわち、ボイラ群２は第２状態にある。
【００５７】
したがって、ボイラシステム１の燃焼制御部４５は、必要蒸気量算出部４６により算出された必要出力蒸気量を出力するようにボイラ群２の燃焼状態を制御する。
すなわち、仮に、蒸気負荷が減少して、ヘッダ圧力値が高圧力帯域の範囲内になった場合、ヘッダ圧力値が０．０１ＭＰａ低下することにより、５００ｋｇ／ｈの必要蒸気量を増加するように、ボイラ群２の燃焼状態を制御される。
【００５８】
これに対して、仮に、燃焼制御部４５が、第１必要蒸気量算出部４４により算出された必要出力蒸気量を出力するようにボイラ群２の燃焼状態を制御したとき、仮に、蒸気負荷が減少して、ヘッダ圧力値が高圧力帯域の範囲内になった場合、例えばヘッダ圧力値が０．０１ＭＰａ低下することにより、６００ｋｇ／ｈの必要蒸気量の増加量が算出されることとなる。
これは、従来の比例分配制御方式（すなわち、必要蒸気量算出部４６）に比較すると、ゲインが大きくなることを意味する。
【００５９】
このように、式１により算出される高圧力帯域（０．７ＭＰａ〜０．８ＭＰａ）に割り当てられる出力蒸気量の圧力値に対する勾配の絶対値が、式２により算出される低圧力帯域（０．６ＭＰａ〜０．７ＭＰａ）に割り当てられる出力蒸気量の圧力値に対する勾配の絶対値以上となる場合、すなわち、ボイラ群２が第２状態にある場合には、燃焼制御部４５は、第１必要蒸気量算出部４４ではなく、必要蒸気量算出部４６により算出される必要蒸気量を出力するように制御する。
【００６０】
こうすることで、ボイラシステム１は、蒸気負荷が低いとき、すなわち第１平均蒸気量（平均出力蒸気量＋α）が小さいときには、第１平均蒸気量を使って低負荷時における圧力変化（すなわち、高圧力帯域における圧力変化）に対するゲインを小さくすることで、低負荷時の圧力安定性を向上できるように制御することができる。
また、ボイラシステム１の蒸気負荷が上昇して、蒸気負荷が中負荷又は高負荷となった際には、従来の比例分配制御方法により必要出力蒸気量を算出することで、高負荷時に安定する圧力を維持することができる。
【００６１】
以上のように、本実施形態に係るボイラシステム１は、平均出力蒸気量算出部４１により、例えば、制御周期毎に各ボイラ２０の出力蒸気量の合計値、すなわちボイラ群２の出力蒸気量を算出し、制御周期毎のボイラ群２の出力蒸気量の所定時間内（例えば６０秒）における移動平均を算出する。そして、燃焼制御部４５は、当該ボイラ群２が第１状態である場合には、低負荷時における圧力変化（すなわち、高圧力帯域における圧力変化）に対するゲインを小さくすることで、低負荷時の圧力安定性を向上できるように制御するように構成される。
また、当該ボイラシステム１が中負荷又は高負荷時における圧力変化（すなわち、低圧力帯域における圧力変化）に対するゲインを通常の場合と同様又はそれ以上とすることで、中負荷又は高負荷時においても、圧力安定性を維持できるように制御するように構成される。
【００６２】
以上説明した本実施形態のボイラシステム１によれば、以下のような効果を奏する。
（１）本実施形態のボイラシステム１は、圧力制御帯域分割部４３により、圧力制御帯域を、予め設定された分割圧力値により、上限値から分割圧力値までの高圧力帯域と分割圧力値から上限値から制御幅を減算した値である下限値までの低圧力帯域とからなる２つの圧力帯域に分割し、平均出力蒸気量算出部４１により所定時間内におけるボイラ群２の平均出力蒸気量を算出し、第１平均出力蒸気量算出部４２により、該平均出力蒸気量に予め設定された付加蒸気量を加算することで、第１平均出力蒸気量を算出し、燃焼制御部４５は、第１平均出力蒸気量に基づいてボイラ群２が第１状態にあると判断した場合、第１必要蒸気量算出部４４により、高圧力帯域に第１平均出力蒸気量を、低圧力帯域に最大使用蒸気量から第１平均出力蒸気量を減算した蒸気量を割り当てることに基づく、比例分配制御方式により算出される必要出力蒸気量を出力するように制御される。
そうすることで、本実施形態のボイラシステム１は、蒸気負荷が低いとき、すなわち第１平均蒸気量（平均出力蒸気量＋α）が小さいときには、第１平均蒸気量を使って低負荷時における圧力変化（すなわち、高圧力帯域における圧力変化）に対するゲインを小さくすることで、低負荷時の圧力安定性を向上できるように制御することができる。
【００６３】
（２）本実施形態のボイラシステム１における圧力制御帯域分割部４３は、分割圧力値を圧力制御帯域の上限値と下限値との中間値として、圧力制御帯域を均等に分割することができる。
そうすることで、本実施形態のボイラシステム１は、ボイラ群２が第１状態にあるか、又は第２状態にあるかを簡単に判断することが可能となる。
【００６４】
（３）本実施形態のボイラシステム１は、圧力制御帯域の範囲内に含まれるヘッダ圧力値に対応して、ボイラ群２の必要出力蒸気量を、ゼロから前記最大使用蒸気量までの値となるように比例分配制御方式により算出する必要蒸気量算出部４６をさらに備え、燃焼制御部４５は、ボイラ群２が第２状態になる場合、必要蒸気量算出部４６により算出された必要出力蒸気量を出力するようにボイラ群２の燃焼状態を制御する。
そうすることで、本実施形態のボイラシステム１は、ボイラ群２が第２状態にある場合に、低圧力帯域における圧力変化に対するゲインを通常の場合と同程度のものとすることができる。
【００６５】
（４）本実施形態のボイラ群２は、複数の段階的な燃焼位置で燃焼可能な段階値制御ボイラからなるように構成することができる。
そうすることで、本実施形態のボイラシステム１は、段階値制御ボイラからなるボイラ群を比例分配制御方式で燃焼制御する際に、低負荷時の圧力安定性を向上できるように制御することができる。
【００６６】
以上、本発明のボイラシステム１の好ましい一実施形態につき説明したが、本発明は、上述の実施形態に制限されるものではなく、適宜変更が可能である。
【００６７】
本実施形態では、動作例の説明をわかりやすくするために、分割圧力値を上限値と下限値との中間値としたが、これに限定されない。前述したように、分割圧力値は、下限値を超え上限値未満となる任意の値を適宜設定することができ、高圧力帯域と低圧力帯域の幅が異なるものであってもよい。
【００６８】
本実施形態では、ボイラ群２は５台の段階値制御ボイラ２０を含むとしたが、これに限定されない。段階値制御ボイラ２０の台数は、適宜設定することができる。
【００６９】
本実施形態では、段階値制御ボイラ２０を、５台ともに４位置制御のボイラとしたが、これに限定されない。すなわち、本発明の段階値制御ボイラ２０を、４位置制御以外に、複数の中燃焼位置を有する５位置制御以上のボイラ、又は３位置制御、２位置制御の段階値制御ボイラとしてもよい。
また、各段階値制御ボイラ２０のボイラ容量、燃焼位置の段階数、及び各燃焼位置における燃焼率等が、各段階値制御ボイラ２０のそれぞれで異なることとしてもよい。
【００７０】
本実施形態では、複数の段階値制御ボイラからなるボイラ群の必要蒸気量を比例分配制御方式により制御するボイラシステムとしたが、これに限定されない。燃焼率を連続的に変更して燃焼可能な複数の連続制御ボイラからなるボイラ群を、比例分配制御方式により燃焼制御する場合にも適用できる。
【符号の説明】
【００７１】
１  ボイラシステム
２  ボイラ群
２０  段階値制御ボイラ
３  台数制御装置
４  制御部
４１  平均出力蒸気量算出部
４２  第１平均出力蒸気量算出部
４３  圧力制御帯域分割部
４４  第１必要蒸気量算出部
４５  燃焼制御部
４６  必要蒸気量算出部
５  記憶部
５１  最大使用蒸気量記憶部
５２  付加蒸気量記憶部
５３  分割圧力値記憶部
５４  優先順位記憶部
【図１】
2017032223.tif 000003
【図２】
2017032223.tif 000004
【図３】
2017032223.tif 000005
【図４】
2017032223.tif 000006
【図５】
2017032223.tif 000007
【図６】
2017032223.tif 000008
【図７】
2017032223.tif 000009
【図８】
2017032223.tif 000010
【図９】
2017032223.tif 000011